(57)【要約】      （修正有）【課題】第三者によるバーコード表示画面の複製を困難にし、万一複製されても当該バーコードの利用を困難にするバーコード表示装置を提供する。【解決手段】配列情報取得部０１０１はバーコードのバーの配列情報を取得し、完全バーコード画像フレーム出力部０１０２はその情報に基づき所定の領域に完全バーコード画像フレームを出力する。不完全バーコード画像フレーム出力部０１０３は出力されたフレーム画像の一部からなる不完全バーコード画像フレームを同じ所定の領域に出力するよう構成する。完全バーコード画像フレームはコードリーダによる読取りと撮影や目視が困難な時間長でのみ可能とし、それ以外の時間長では不完全バーコード画像フレームを出力する。【選択図】図１
2015179492.tif 000002
【特許請求の範囲】
【請求項１】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、前者に対して後者の割合が少となるように出力させる第一制御部と、
を有するバーコード表示装置。
【請求項２】
不完全バーコード画像フレームに挟まれた完全バーコード画像フレームの連続出力時間であるＴｐは
１／２７０秒＜Ｔｐ＜１／３０秒
を満たす請求項１に記載のバーコード表示装置。
【請求項３】
第一制御部は、前記割合を完全バーコード画像フレームによる画像が人に視認不能とされる程度の割合とする人視認不可制御手段を有する請求項１又は２に記載のバーコード表示装置。
【請求項４】
前記所定の領域を人に視認可能に示す所定領域表示部を有する請求項１から３のいずれか一に記載のバーコード表示装置。
【請求項５】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、出力させる制御部と、
を有するバーコード表示装置。
【請求項６】
制御部はディスプレイに出力される画像が人の目には不完全バーコード画像のみが出力されて見えるように不完全バーコード画像と完全バーコード画像とを出力する請求項５に記載のバーコード表示装置。
【請求項７】
完全バーコード画像フレーム出力部からの完全バーコード画像の出力は、スチルカメラに完全バーコード画像が単独で撮像できない程度の連続出力時間である請求項５又は６に記載のバーコード表示装置。
【請求項８】
不完全バーコード画像フレームに挟まれた完全バーコード画像フレームの連続出力時間であるＴｐは
１／２７０秒＜Ｔｐ＜１／３０秒
を満たす請求項５から７のいずれか一に記載のバーコード表示装置。
【請求項９】
不完全バーコード画像フレームに挟まれた完全バーコード画像フレームの連続出力時間であるＴｐは
１／２７０秒＜Ｔｐ＜１／２０秒
を満たす請求項５から７のいずれか一に記載のバーコード表示装置。
【請求項１０】
動画を構成する動画フレームを構成するための動画フレーム構成情報を保持する動画フレーム構成情報保持部をさらに有し、
不完全バーコード画像フレーム出力部は、動画フレーム構成情報保持部に保持されている動画フレーム構成情報に基づいて動画フレームを出力する動画フレーム出力手段を有する請求項１から９のいずれか一に記載のバーコード表示装置。
【請求項１１】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
を有するバーコード表示装置の動作方法。
【請求項１２】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
を有するーコード表示装置の動作方法。
【請求項１３】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の映像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
を計算機であるバーコード表示装置に実行させるためのプログラム。
【請求項１４】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
を計算機であるバーコード表示装置に実行させるためのプログラム。
【請求項１５】
バーコードに代えて二次元コードとした請求項１から１０のいずれか一に記載の二次元コード表示装置。
【請求項１６】
バーコードに代えて二次元コードとした請求項１１又は１２に記載の二次元コード表示装置の動作方法。
【請求項１７】
バーコードに代えて二次元コードとした請求項１３又は１４に記載のプログラム。
【発明の詳細な説明】
【技術分野】
【０００１】
本発明は、バーコード表示装置ならびに同装置の動作方法およびプログラムに関する。
【背景技術】
【０００２】
従来から、取引を行う際に商品や役務に対してバーコードをはじめとするコード情報を付すことが広く行われている。バーコードは、主に黒色で彩色されるバーが主に白色の余白部分と交互に横方向に配列されてなり、光学的反射率の低い部分（黒色のバー）と高い部分（白色の余白）との組み合わせにより種々の情報を示す情報担体である。そして、バーコードへ光を照射し、反射光の明暗（強弱）のコントラストを検出することで当該バーコードが示す情報を取得する。すなわち、バーの太さや配列の組み合わせによって、様々な情報を限られた領域にて示すことが可能となる。
【０００３】
これまでにも、バーコードの上記情報担体としての利便性に着目した様々な技術が知られており、その用途は取引における情報管理以外にも広がっている。特許文献１には、個人認証のための電子鍵としてバーコードを用いる技術が開示されている。
【先行技術文献】
【特許文献】
【０００４】
【特許文献１】特開２０１１−３２７４０号公報
【発明の概要】
【発明が解決しようとする課題】
【０００５】
しかしながら、特許文献１記載の技術では、バーコードが表示された端末装置のディスプレイを撮影するなどの方法により当該バーコードが容易に複製することができ、そのようにして複製されたバーコードを用いて個人情報が第三者に流用ないし悪用されるおそれがあった。
【課題を解決するための手段】
【０００６】
以上のような課題を解決するために、本発明は、バーコードのバーの配列情報を取得する配列情報取得部と、取得した配列情報に基づき所定の領域にバーコードの全体画像のフレームである完全バーコード画像フレームを出力する完全バーコード画像フレーム出力部と、バーコード以外の映像又は／及びバーコードの一部の画像からなる不完全バーコード画像のフレームである不完全バーコード画像フレームを前記所定の領域に出力する不完全バーコード画像フレーム出力部と、バーコード画像表示命令を受付けるバーコード画像表示命令受付部と、受付けたバーコード画像表示命令に基づいて不完全バーコード画像フレーム出力部からの不完全バーコード画像フレームと、完全バーコード画像フレーム出力部からの完全バーコード画像フレームとを出力させる制御部と、を有するバーコード表示装置などを提案する。
【発明の効果】
【０００７】
主に上記のような構成をとる本発明によって、第三者によるバーコード表示画面の複製を困難にし、万一複製されてしまっても当該バーコードの利用を困難にすることが可能となる。
【図面の簡単な説明】
【０００８】
【図１】実施形態１のバーコード表示装置の機能ブロックの一例を示す図
【図２】実施形態１のバーコード表示装置にて完全バーコード画像フレームを表示出力する一例を示す図
【図３Ａ】実施形態１のバーコード表示装置にて不完全バーコード画像フレームを表示出力する一例を示す図
【図３Ｂ】実施形態１のバーコード表示装置にて不完全バーコード画像フレームを表示する別の一例を示す図
【図３Ｃ】実施形態１のバーコード表示装置にて不完全バーコード画像フレームを表示する別の一例を示す図
【図４】実施形態１のバーコード表示装置における完全バーコード画像フレームと不完全バーコード画像フレームを出力する制御の一例を示す図
【図５】実施形態１のバーコード表示装置の機能的な構成をハードウェアとして実現した際の構成の一例を示す概略図
【図６】実施形態１のバーコード表示装置の処理の一例を示す図
【図７】実施形態２のバーコード表示装置の機能ブロックの一例を示す図
【図８】実施形態２のバーコード表示装置の制御部の制御の一例を示す図
【図９】実施形態２のバーコード表示装置の制御部の制御の別の一例を示す図
【図１０】実施形態２のバーコード表示装置の処理の一例を示す図
【図１１】実施形態３のバーコード表示装置の機能ブロックの一例を示す図
【図１２】実施形態３のバーコード表示装置の動画フレーム構成情報保持部にて保持される動画フレーム構成情報の一例
【図１３】実施形態３のバーコード表示装置の処理の一例を示す図
【図１４】実施形態１のバーコード表示装置の制御部の機能を説明するための図
【発明を実施するための形態】
【０００９】
以下、本発明の各実施形態について図面と共に説明する。実施形態と請求項の相互の関係は、以下のとおりである。まず、実施形態１は、主に請求項５、６、７、８、９、１２、１４、１５、１６、１７などに対応する。実施形態２は、主に請求項１、２、３、４、１１、１３などに対応する。実施形態３は、主に請求項１０などに対応する。なお、本発明はこれらの実施形態に何ら限定されるものではなく、その要旨を逸脱しない範囲内において、様々な態様で実施し得る。
【００１０】
＜＜実施形態１＞＞
＜概要＞
【００１１】
図２および図３Ａないし３Ｃは、いずれも本実施形態のバーコード表示装置にて表示出力されるフレームの一例を示すための図である。本実施形態のバーコード表示装置は、同各図に示されているように、コードリーダによる読取は可能だが、スチルカメラによる撮影や目視が困難な時間長でのみ、所定の領域に完全バーコード画像フレームを出力し、それ以外の時間には当該所定の領域に不完全バーコード画像フレームを出力するよう出力を制御することを特徴とする。
【００１２】
なおここでいう「所定の領域」０２００とは、完全バーコード画像を表示するのに必要な最低限の表示領域であるが、ディスプレイ等表示画面中における具体的な位置は問わない。図２に示したように、所定の領域の高さは黒色のバーの高さとし、幅は左右両端を白色の余白部分とする完全バーコード画像の幅長とする。
【００１３】
なお、本実施形態では表示出力対象となる情報担体をバーコードとして説明を行うが、表示出力対象たる情報担体はバーコード以外にも、例えばＱＲコード（登録商標）のような二次元コード、色素の配列情報をコード化した情報などであってももちろんよい（本明細書の全体を通じて同様である）。
【００１４】
＜機能的構成＞
図１は、本実施形態のバーコード表示装置の機能ブロックの一例を示す図である。この図にあるように、本実施形態の「バーコード表示装置」０１１０は、「配列情報取得部」０１０１と、「完全バーコード画像フレーム出力部」０１０２と、「不完全バーコード画像フレーム出力部」０１０３と、「バーコード画像表示命令受付部」０１０４と、「制御部」０１０５と、を有する。
【００１５】
なお、以下に記載するバーコード表示装置の機能ブロックは、ハードウェア、ソフトウェア、又はハードウェア及びソフトウェアの両方として実現され得る。具体的には、コンピュータを利用するものであれば、ＣＰＵやメインメモリ、ＧＰＵ、画像メモリ、グラフィックボード、バス、あるいは二次記憶装置（ハードディスクや不揮発性メモリ、ＣＤやＤＶＤなどの記憶メディアとそれらのメディアの読取ドライブなど）、情報入力に利用される入力デバイス、タッチパネル、スピーカ、マイク、カメラ、液晶ディスプレイ又は有機ＥＬディスプレイなどの表示装置、バーコードリーダなどの読取装置その他の外部周辺装置などのハードウェア構成部、またその外部周辺装置用のインターフェース、通信用インターフェース、それらハードウェアを制御するためのドライバプログラムやその他アプリケーションプログラムなどが挙げられる。そして、メインメモリ上に展開したプログラムに従ったＣＰＵの演算処理によって、入力デバイスやその他インターフェースなどから入力されメモリやハードウェア上に保持されているデータなどが加工、蓄積されたり、前記各ハードウェアやソフトウェアを制御するための命令が生成されたりする。ここで、上記プログラムは、モジュール化された複数のプログラムとして実現されてもよいし、２以上のプログラムを組み合わせて一のプログラムとして実現されても良い。
【００１６】
なお、本発明のバーコード表示装置は、一または複数の装置との組み合わせによりシステムとしても実現可能である。そして、このような装置の一部をソフトウェアとして構成することも可能である。さらに、そのようなソフトウェアが記録された記憶媒体も当然に本発明の技術的な範囲に含まれる（本実施形態に限らず、本明細書の全体を通じて同様である）。
【００１７】
「配列情報取得部」０１０１は、バーコードのバーの配列情報を取得するように構成されている。具体的には、バーコードの画像をバーの配列情報として取得することや、バーを配列するための数字、文字及び／又は記号を配列情報として取得することが考えられる。取得態様としては、配列情報を保持する外部サーバからネットワークを介して取得したりすることが考えられ、より具体的にいえば、バーコードを構成している又は構成するべき黒色のバー部分と白色の余白部分との組み合わせおよび各部分の幅長に関する情報などを取得する。
【００１８】
「完全バーコード画像フレーム出力部」０１０２は、取得した配列情報に基づき所定の領域にバーコードの全体画像のフレームである完全バーコード画像フレームを出力するように構成される。具体的にはディスプレイ等の表示装置により実現され、後記制御部による制御を受けて出力される。
【００１９】
なおここで出力される「フレーム」とは、いずれも単位時間あたり所定回数にわたり出力される静止画のことを指しており、少なくとも前記所定の領域に表示されるべき画像を含む静止画である。そしてその出力態様としては、例えば配列情報であるバーコードの画像をそのままバーコードの全体画像として出力する態様のほか、配列情報である数字、文字及び／又は記号に基づいてバーコード画像を生成し、当該生成されたバーコード画像をバーコードの全体画像として出力する態様が考えられる。
【００２０】
「不完全バーコード画像フレーム出力部」０１０３は、バーコード以外の画像又は／及びバーコードの一部の画像からなる不完全バーコード画像のフレームである不完全バーコード画像フレームを前記所定の領域に出力するように構成される。不完全バーコード画像フレーム出力部もまたディスプレイ等の表示装置により実現され、完全バーコード画像フレーム出力部とともに後記制御部による制御を受ける。不完全バーコード画像フレームを完全バーコード画像フレームと同じ領域に出力する当該構成をとることによって、第三者に対し完全バーコード画像フレームが出力されている事実を認識させづらくすることが可能になる。
【００２１】
不完全バーコード画像フレームは配列情報取得部にて取得した配列情報に基づいている必要がない。そのため、以下に掲げるように不完全バーコード画像フレームを様々な形式にて構成することが考えられる（以下に示すものはあくまで一例であって、他の構成を排除するものではない）。
【００２２】
＜＜不完全バーコード画像フレームの例その１＞＞
図３Ａは出力された不完全バーコード画像フレームの一例である。同図で示されているようにまず、バーコードの全体画像のうち一部の領域（同図中「０３１０」で示された領域）が欠けた画像から不完全バーコード画像フレームを構成することが可能である。
【００２３】
＜＜不完全バーコード画像フレームの例その２＞＞
図３Ｂは出力された不完全バーコード画像フレームの別の一例である。同図では「所定の領域」０３００に完全バーコード画像フレームとは異なる内容のキャラクター（キリン）とその背景で構成される画像フレームが不完全画像フレームとして構成されている。
【００２４】
＜＜不完全バーコード画像フレームの例その３＞＞
図３Ｃも出力された不完全バーコード画像フレームの別の一例である。同図では「所定の領域」０３００に完全バーコード画像フレームと異なる内容のキャラクター等を全く含まず背景のみで構成される画像フレームが不完全画像フレームとして構成されている。
【００２５】
＜＜不完全バーコード画像フレームの例その４＞＞
不完全バーコード画像フレームのその他の構成としては、少なくとも一の白い余白部分の配色をコードリーダが照射する光が反射しづらい色（例えばコードリーダが照射する光と同系色、より具体的には赤色、黄色、オレンジ色など）に変更したバーコードの画像を出力する構成なども考えられる。あるいは、完全バーコード画像フレームのＰＣＳ値やＭＲＤ値を所定値よりも低くする処理を行い、当該処理により反射率が低減したフレームを不完全バーコード画像フレームとする構成が考えられる。これらの構成をとれば、仮に当該不完全バーコード画像フレームが複製されても、当該複製された画像を用いたバーコードが読取られる事態を回避することができる。
【００２６】
「バーコード画像表示命令受付部」０１０４は、バーコード画像表示命令を受付けるように構成される。具体的には、利用者による操作によって特定のバーコード画像を表示させる旨の命令であるバーコード画像表示命令を受信する。当該構成をとることにより、情報の送受信を行うに際しバーコード画像が表示されることとなるため、送受信すべき情報を目視にて確認することが可能になり、単にネットワークを介して情報を送受信する場合に比べより慎重なやり取りを行うことができる。
【００２７】
「制御部」０１０５は、受付けたバーコード画像表示命令に基づいて不完全バーコード画像フレーム出力部からの不完全バーコード画像フレームと、完全バーコード画像フレーム出力部からの完全バーコード画像フレームと、を出力させるように構成されている。ここで図１４を用いて制御のいくつかの例について説明すると、同図（ａ）に示されているように、各フレームを均一の時間長（同図の場合はｔ１）で出力するように制御する場合も考えられるし、同図（ｂ）に示されているように、各フレームを異なる時間長（同図の場合はｔ１とＴ１）にて出力するように制御する場合も考えられる。そしてそれらの制御はいずれも、少なくとも完全バーコード画像フレームによる画像が人に視認困難とされるような態様、例えば人の目には不完全バーコード画像のみが出力されて見えるように不完全バーコード画像フレームと完全バーコード画像フレームとが出力されるような制御であることが好ましい。当該構成を採れば、前記各フレームが表示出力される際、完全バーコード画像フレームが表示されていることを気付きづらくさせ、完全バーコード画像フレームの不当不正な複製の機会を与えづらくすることができる。
【００２８】
なお、完全バーコード画像フレームの連続出力時間は、スチルカメラに完全バーコード画像が単独で撮像できない程度の時間とすることが考えられる。一般的なスチルカメラであれば、一のフレームを撮影するのに要する時間はおよそ１／１５秒から１／１０秒程度であることが通常であるため、完全バーコード画像フレームを出力する時間長、すなわち連続出力時間は少なくとも１／２０秒よりも短いことが望ましい。図１４で示した各例の場合であれば、まずはｔ１の時間長を１／２０秒よりも短くすることが考えられる。なお、完全バーコード画像フレームの連続出力時間に完全バーコード画像フレームを出力した後不完全バーコード画像フレームを出力するために必要な時間である処理時間（同図の場合はｔ２）を加えた時間（ｔ１+ｔ２）を１／２０秒よりも短くする構成をとるとなお好ましい。当該構成をとると、例えば同図中１４０１にて特定されている箇所のように、完全バーコード画像フレームの出力を徐々に解除する場合においても、スチルカメラにて完全バーコード画像フレームの残像を撮影することを困難にできる。
【００２９】
ちなみに、通常ヒトの目が画像フレームの変化を認識できる最小連続出力時間がおよそ１／３０秒前後であることから、前記完全バーコード画像フレームの連続出力時間をさらに短縮し、１／３０秒よりも短くするとなおよい。さらに言えば、ヒトの目の時間残像を踏まえた制御を行うことも考えられる。具体的には、図１４（ａ）（ｂ）に示した例において、完全バーコード画像フレームの出力後次に完全バーコード画像フレームが出力されるまでの時間（ｔ３）をヒトの目の分解能（具体的には１／３０秒前後）よりも長くする。当該構成をとることにより、完全バーコード画像フレームが残像により常に表示されているような錯覚をヒトに与え当該完全バーコード画像フレーム複製の機会を与えてしまう事態を回避することができる。
【００３０】
いっぽう、表示出力されるバーコードはスキャナやコードリーダ等の読取装置を用いて読取ることが予定されているため、完全バーコード画像フレームの連続出力時間（ｔ１）は、これらの読取装置にて読取可能な時間であることが必要である。具体的には、一般的な読取装置のスキャン速度が２７０回／秒以下なので、完全バーコード画像フレームの連続出力時間は１／２７０秒よりも長いことが好ましい。
【００３１】
ここまで説明した完全バーコード画像フレームの連続出力時間は、当該完全バーコード画像フレームが不完全バーコード連続フレームに挟まれて出力された場合を想定している。そのため、複数の完全バーコード画像フレームを連続して出力する構成を採用する場合であっても、当該複数の完全バーコード画像フレームの連続出力時間（およびそれらの完全バーコード画像フレームを出力するための処理時間）が合計して１／２０ないし１／３０秒より短くなるように構成することで既に述べた点と同様の効果を得ることができる。
【００３２】
＜具体的な構成＞
図５は、本実施形態のバーコード表示装置の機能的な各構成をハードウェアとして実現した際の構成の一例を示す概略図である。これらの図を利用して、それぞれのハードウェア構成部の働きについて説明する。バーコード表示装置は、各種演算処理を実行するための「ＣＰＵ」０５０１と、「記憶装置（記憶媒体）」０５０２と、「メインメモリ」０５０３と、「出力インターフェース」０５０４と、「入力インターフェース」０５０５と、「インターネット通信インターフェース」０５０６と、を備え、入出力インターフェースを介して、例えば「タッチパネル」０５０７や「ディスプレイ」０５０８と、インターネット通信インターフェースを介して「バーコードサーバ装置」０５９０などの外部周辺装置と情報の送受信を行う。特にディスプレイに表示された完全バーコード画像フレームは、「コード読取装置」０５８０などによって読取られる。なお、記憶装置には以下で説明するような各種プログラムが格納されており、ＣＰＵはこれら各種プログラムをメインメモリのワーク領域内に読み出して展開、実行する。なお、これらの構成は、「システムバス」０５０９などのデータ通信経路によって相互に接続され、情報の送受信や処理を行う。
【００３３】
（配列情報取得部の具体的な処理）
ＣＰＵは、記憶装置から「配列情報取得プログラム」０５１０をメインメモリに読み出して実行し、バーコードのバーの配列情報を取得し、メインメモリの所定のアドレスに格納する。
【００３４】
（完全バーコード画像フレーム出力部の具体的な処理）
ＣＰＵは、記憶装置から「完全バーコード画像フレーム出力プログラム」０５２０をメインメモリに読み出して実行し、配列情報取得プログラムの実行により得られた配列情報に基づき所定の領域にバーコードの全体画像のフレームである完全バーコード画像フレームを出力する処理を行う。
【００３５】
（不完全バーコード画像フレーム出力部の具体的な処理）
ＣＰＵは、記憶装置から「不完全バーコード画像フレーム出力プログラム」０５３０をメインメモリに読み出して実行し、バーコード以外の映像又は／及びバーコードの一部の画像からなる不完全バーコード画像のフレームである不完全バーコード画像フレームを前記所定の領域に出力する処理を行う。
【００３６】
（バーコード画像表示命令受付部の具体的な処理）
ＣＰＵは、記憶装置から「バーコード画像表示命令受付プログラム」０５４０をメインメモリに読み出して実行し、バーコード画像表示命令を受付ける処理を行う。
【００３７】
（制御部の具体的な処理）
ＣＰＵは、記憶装置から「制御プログラム」０５５０をメインメモリに読み出して実行し、バーコード画像表示命令に基づいて、不完全バーコード画像フレーム出力プログラムの実行により得られた不完全バーコードと完全バーコード画像フレーム出力プログラムの実行により得られた完全バーコードとを出力するよう制御する処理を行う。
【００３８】
＜処理の流れ＞
図６は、本実施形態のバーコード表示装置における処理の流れの一例を示す図である。同図の処理の流れは以下のステップからなる。最初にステップＳ０６０１では、バーコードのバーの配列情報を取得する（配列情報取得ステップ）。そしてステップＳ０６０２にてバーコード画像表示命令を受付ける（バーコード表示命令受付ステップ）と、ステップＳ０６０３では、受付けたバーコード画像表示命令に基づいて、配列情報に基づき出力されるべき完全バーコード画像フレームと不完全バーコード画像フレームとを出力制御させて出力する（制御ステップ）。
【００３９】
＜効果＞
以上の構成を有するバーコード表示装置を利用することにより、第三者によるバーコード表示画面の複製を困難にし、万一複製が実現されても、当該バーコードの利用をも困難にすることが可能となる。
【００４０】
＜＜実施形態２＞＞
＜概要＞
【００４１】
本実施形態のバーコード表示装置は、基本的に実施形態１に記載のバーコード表示装置と同様であるが、バーコード画像表示命令受付部にて受付けたバーコード画像表示命令に基づいて不完全バーコード画像フレーム出力部からの不完全バーコード画像フレームと、完全バーコード画像フレーム出力部からの完全バーコード画像フレームとを、前者に対して後者の割合が少となるように出力させるように制御する点を特徴として備えている。当該構成をとることにより、相対的に完全バーコード画像フレームの表示されている時間が短くなり、所定の領域に完全バーコード画像フレームが表示されていることを第三者に気付かせにくくすることができる。
【００４２】
＜機能的構成＞
図７は、本実施形態のバーコード表示装置の機能ブロックの一例を示す図である。この図にあるように、本実施形態の「バーコード表示装置」０７１０は、「配列情報取得部」０７０１と、「完全バーコード画像フレーム出力部」０７０２と、「不完全バーコード画像フレーム出力部」０７０３と、「バーコード画像表示命令受付部」０７０４と、「第一制御部」０７０５と、を有する。実施形態のバーコード表示装置の基本的な構成は、実施形態１に記載のバーコード表示装置と共通するため、以下では相違点である「第一制御部」０７０５の機能について説明する。
【００４３】
「第一制御部」０７０５は、受付けたバーコード画像表示命令に基づいて不完全バーコード画像フレーム出力部からの不完全バーコード画像フレームと、完全バーコード画像フレーム出力部からの完全バーコード画像フレームとを、前者に対して後者の割合が少となるように出力させるように構成されている。各フレームの出力割合をこのように構成することにより、相対的に完全バーコード画像フレームが表示されていることを気付きづらくさせることができる。
【００４４】
ここで、上記各フレーム出力の具体例について説明する。まず、不完全バーコード画像フレームが完全バーコード画像フレームとは異なるキャラクター画像を含む画像フレームである場合について図８を用いて説明する。同図は、完全バーコード画像フレームと不完全バーコード画像フレームとが制御部の制御により経時的にディスプレイ上にバーコード画像として表示出力される一例を示す図である。同図上方の矢印は各画像フレームが時系列に沿って出力されていることを意味しており、（ｔ−１）から（ｔ−４）まで時系列に沿った表示出力がなされているものとする（以下で説明に用いる同種の図においても同様である）。この場合、（ｔ−３）以外の時点における「所定の領域」０８００内には、バーコードとは異なるキリンのキャラクター画像０８２０のみが不完全バーコード画像フレームとして表示出力されているが、（ｔ−３）のときだけ完全バーコード画像フレーム０８１０が表示出力される。当該構成をとることによって、相対的に完全バーコード画像フレームの表示されている時間が短くなり、かかる所定の領域にバーコードの完全画像が表示されていることを第三者に気付かせにくくすることができる。
【００４５】
次に、不完全バーコード画像フレームがバーコードの一部の画像からなる画像フレームである場合について図９を用いて説明する。同図に示されている例も図８で示した例と同様のディスプレイを用いており、この場合も、（ｔ−３）の時だけ完全バーコード画像フレームが所定の領域０９００に表示出力されており、それ以外の時間ではバーコード画像の一部にキリンのキャラクター画像０９２０が重畳している不完全バーコード画像が表示出力されている。当該構成をとることによって、すでに説明した表示態様に比べてより、所定の領域に完全バーコード画像が表示されていることを第三者に気付かせにくくすることができる。
【００４６】
ここで「前者（不完全バーコード画像フレーム）に対して後者（完全バーコード画像フレーム）の割合が少となる」ような割合を、完全バーコード画像フレームによる画像が人に視認不能とされる程度の割合とする人視認不可制御手段を設けることが考えられる。具体的にいえば、完全バーコード画像フレームと不完全バーコード画像フレームとがいずれも１／３０ないし１／２０秒に１コマ出力されるように構成されていることが好ましく、そのうち完全バーコード画像フレームが１コマ程度だけ表示出力され、それ以外は不完全バーコード画像フレームが表示出力されるような構成を周期的（例えば１秒ごと）にとることが望ましい。このとき完全バーコード画像フレームを何番目に出力されるべきフレームとするかは適宜設定されてよく、特定の時間で完全バーコード画像が出力されるように設定されても、出力される順番が周期ごとに変更されるようなルールに基づいて設定されてもよい。当該構成をとれば、完全バーコード画像フレームの出力頻度が人に視認不能とされる程度の割合となり、第三者が目視に基づき複製しようとしても、完全バーコード画像フレームを出力するタイミングで同フレームのみを複製するような処理を行うことを著しく困難にすることができる。
【００４７】
なお、不完全バーコード画像フレームの出力先であり、前記完全バーコード画像フレームの出力先でもある「所定の領域」について、当該領域を人に視認可能に示すための所定領域表示部を設けることが望ましい。ここでいう「人」とは特にバーコード表示装置の正当な利用者に限られず、バーコードの不正ないし不適正な利用を意図する者をも含んでいる。当該構成をとることによって、不完全バーコード画像フレームを多くの人に積極的に視認可能なように表示することが可能になるため、特に不正な意図をもって当該画像を視認した者に対し、当該画像を複製しても不正目的で利用することはできない、と複製行為を諦めさせることができる。
【００４８】
＜具体的な構成＞
本実施形態のバーコード表示装置のハードウェア構成は、基本的には図５を用いて説明した実施形態１のバーコード表示装置のハードウェア構成と同様である。そこで以下では、これまで説明していない「第一制御部」の具体的な処理について説明する。
【００４９】
（第一制御部の具体的な処理）
ＣＰＵは、記憶装置から「第一制御プログラム」をメインメモリに読み出して実行し、バーコード画像表示命令に基づいて、不完全バーコード画像フレーム出力プログラムの実行により得られた不完全バーコードと完全バーコード画像フレーム出力プログラムの実行により得られた完全バーコードとを、前者に対して後者の割合が少となるように出力するよう制御する処理を行う。
【００５０】
＜処理の流れ＞
図１０は、本実施形態のバーコード表示装置における処理の流れの一例を示す図である。同図の処理の流れは以下のステップからなる。最初にステップＳ１００１では、バーコードのバーの配列情報を取得する（配列情報取得ステップ）。そしてステップＳ１００２にてバーコード画像表示命令を受付ける（バーコード表示命令受付ステップ）と、ステップＳ１００３では、受付けたバーコード画像表示命令に基づいて、配列情報に基づき出力されるべき完全バーコード画像フレームと不完全バーコード画像フレームとを、不完全バーコード画像フレームに対して完全バーコード画像フレームの割合が少となるように出力制御させて出力する（第一制御ステップ）。
【００５１】
＜効果＞
以上の構成を有するバーコード表示装置を利用することにより、相対的に完全バーコード画像フレームの表示されている時間が短くなり、所定の領域に完全バーコード画像フレームが表示されていることを第三者に気付かせにくくすることができる。
【００５２】
＜＜実施形態３＞＞
＜概要＞
【００５３】
本実施形態のバーコード表示装置は、基本的に実施形態１又は２に記載のバーコード表示装置と同様であるが、動画を構成する動画フレームを構成するための動画フレーム構成情報を保持し、当該動画フレーム構成情報に基づいて不完全バーコード画像フレームとして動画フレームを出力する点を特徴として備えている。当該構成をとることにより、特に不正な意図をもって当該画像を視認した者に対し、より当該画像を複製しても不正目的で利用することはできない、と複製行為を諦めさせることができる。
【００５４】
＜機能的構成＞
図１１は、本実施形態のバーコード表示装置の機能ブロックの一例を示す図である。この図にあるように、本実施形態の「バーコード表示装置」１１００は、「配列情報取得部」１１０１と、「完全バーコード画像フレーム出力部」１１０２と、「不完全バーコード画像フレーム出力部」１１０３と、「バーコード画像表示命令受付部」１１０４と、「制御部」１１０５と、「動画フレーム構成情報保持部」１１０６と、を有し、不完全バーコード画像フレーム出力部は、「動画フレーム出力手段」１１１０を有している。本実施形態のバーコード表示装置の基本的な構成は、実施形態１に記載のバーコード表示装置と共通するため、以下では相違点である「動画フレーム構成情報保持部」１１０６および「動画フレーム出力手段」１１１０の機能について説明する。
【００５５】
「動画フレーム構成情報保持部」１１０６は、動画を構成する動画フレームを構成するための動画フレーム構成情報を保持するように構成されている。「動画フレーム構成情報を保持する」具体的な態様としては、複数の不完全バーコード画像フレームを所定の順序で出力し動画が出力されているかのような視覚的効果を与えるための情報の入力を受付け、当該入力を受付けた情報を動画フレーム構成情報として保持することが考えられる。より具体的にいえば、複数の不完全バーコード画像フレームの出力順や出力時間、動画フレームを構成する不完全バーコード画像フレームの数あるいは不完全バーコード画像フレームを出力しない時間などの情報をそれぞれの不完全バーコード画像フレームを識別するＩＤなどを用いてお互いに関連付けて保持する処理を行う。
【００５６】
ここで図１２を示す。同図は本実施形態のバーコード表示装置の動画フレーム構成情報保持部にて保持される動画フレーム構成情報の一例である。同図ではキリンのキャラクター画像が、バーコードを横切るような動画が構成されるように各フレーム画像を構成する内容の動画フレーム構成情報の一例が記載されている。当該動画フレーム構成情報は２９の不完全バーコード画像フレームから構成され、そのいずれもがフレームレート３０ｆｐｓにて順次表示出力されるようになっている。ただし、２０フレーム目（ＩＤ：ＧＩＲＡＦＦＥ０２０）と２１フレーム目（ＩＤ：ＧＩＲＡＦＦＥ０２１）が表示出力される間には１フレーム分だけ不完全バーコード画像フレームが表示されない内容となっている。当該表示されない時間では、完全バーコード画像フレームを表示させることが考えられ、当該構成をとることにより、見る者に対し完全バーコード画像フレームが表示されたとの認識を持たせづらくすることが可能になる。
【００５７】
「動画フレーム出力手段」１１１０は、不完全バーコード画像フレーム出力部にて、動画フレーム構成情報保持部に保持されている動画フレーム構成情報に基づいて動画フレームを出力するように構成されている。「動画フレーム構成情報に基づいて動画フレームを出力する」具体的な構成としては、動画フレーム構成情報に含まれる順序に従って、所定の時間長のもとで複数の不完全バーコード画像フレームを順次表示出力することが考えられ、図１２を用いて説明した動画フレーム構成情報に基づいた場合であれば、キリンのキャラクター画像がバーコードを横切る内容の動画を表示出力することとなる。制御部において、動画フレーム出力手段により出力される動画フレームと安全バーコード画像フレームとを所定の時間長にて出力する構成を採用することにより、動画フレームと完全バーコード画像フレームとが一連の動画を構成するように視認することができ、見る者にとって完全バーコード画像フレームの複製が困難であることを認識させることが可能になる。
【００５８】
＜具体的な構成＞
本実施形態のバーコード表示装置のハードウェア構成は、基本的には図５を用いて説明した実施形態１のバーコード表示装置のハードウェア構成と同様である。そこで以下では、これまで説明していない「動画フレーム出力手段」の具体的な処理について説明する。
【００５９】
（動画フレーム出力手段の具体的な処理）
ＣＰＵは、不完全バーコード画像フレーム出力プログラムの実行に際し記憶装置から「動画フレーム出力サブプログラム」をメインメモリに読み出して実行し、メインメモリに保持されている動画フレーム構成情報を読み出すとともに同情報に基づいて動画フレームを不完全バーコード画像フレームとして出力する処理を行う。
【００６０】
＜処理の流れ＞
図１３は、本実施形態の学習装置における処理の流れの一例を示す図である。同図の処理の流れは以下のステップからなる。最初にステップＳ１３０１では、バーコードのバーの配列情報を取得する（配列情報取得ステップ）。そしてステップＳ１３０２にてバーコード画像表示命令を受付ける（バーコード表示命令受付ステップ）と、ステップＳ１３０３では、受付けたバーコード画像表示命令に基づいて、配列情報に基づき出力されるべき完全バーコード画像フレームと、バーコード以外の映像又は／及びバーコードの一部の画像からなる不完全バーコード画像のフレームである不完全バーコード画像フレームの動画フレームとを、出力制御させて出力する（制御ステップ）。
【００６１】
＜効果＞
本実施計形態のバーコード表示装置を利用することにより、第三者に対してよりバーコードの複製が困難であるとの意識付けを強めることが可能になる。
【符号の説明】
【００６２】
０１００…バーコード表示装置、０１０１…配列情報取得部、０１０２…完全バーコード画像フレーム出力部、０１０３…不完全バーコード画像フレーム出力部、０１０４…バーコード画像表示命令受付部、０１０５…制御部
【図１】
2015179492.tif 000003
【図２】
2015179492.tif 000004
【図３Ａ】
2015179492.tif 000005
【図３Ｂ】
2015179492.tif 000006
【図３Ｃ】
2015179492.tif 000007
【図４】
2015179492.tif 000008
【図５】
2015179492.tif 000009
【図６】
2015179492.tif 000010
【図７】
2015179492.tif 000011
【図８】
2015179492.tif 000012
【図９】
2015179492.tif 000013
【図１０】
2015179492.tif 000014
【図１１】
2015179492.tif 000015
【図１２】
2015179492.tif 000016
【図１３】
2015179492.tif 000017
【図１４】
2015179492.tif 000018
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、前者に対して後者の割合が少となるように出力させる第一制御部と、
を有するバーコード表示装置。
【請求項２】
不完全バーコード画像フレームに挟まれた完全バーコード画像フレームの連続出力時間であるＴｐは
１／２７０秒＜Ｔｐ＜１／３０秒
を満たす請求項１に記載のバーコード表示装置。
【請求項３】
第一制御部は、前記割合を完全バーコード画像フレームによる画像が人に視認不能とされる程度の割合とする人視認不可制御手段を有する請求項１又は２に記載のバーコード表示装置。
【請求項４】
前記所定の領域を人に視認可能に示す所定領域表示部を有する請求項１から３のいずれか一に記載のバーコード表示装置。
【請求項５】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、出力させる制御部と、
を有するバーコード表示装置。
【請求項６】
制御部はディスプレイに出力される画像が人の目には不完全バーコード画像のみが出力されて見えるように不完全バーコード画像と完全バーコード画像とを出力する請求項５に記載のバーコード表示装置。
【請求項７】
完全バーコード画像フレーム出力部からの完全バーコード画像の出力は、スチルカメラに完全バーコード画像が単独で撮像できない程度の連続出力時間である請求項５又は６に記載のバーコード表示装置。
【請求項８】
不完全バーコード画像フレームに挟まれた完全バーコード画像フレームの連続出力時間であるＴｐは
１／２７０秒＜Ｔｐ＜１／３０秒
を満たす請求項５から７のいずれか一に記載のバーコード表示装置。
【請求項９】
不完全バーコード画像フレームに挟まれた完全バーコード画像フレームの連続出力時間であるＴｐは
１／２７０秒＜Ｔｐ＜１／２０秒
を満たす請求項５から７のいずれか一に記載のバーコード表示装置。
【請求項１０】
動画を構成する動画フレームを構成するための動画フレーム構成情報を保持する動画フレーム構成情報保持部をさらに有し、
不完全バーコード画像フレーム出力部は、動画フレーム構成情報保持部に保持されている動画フレーム構成情報に基づいて動画フレームを出力する動画フレーム出力手段を有する請求項１から９のいずれか一に記載のバーコード表示装置。
【請求項１１】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
を有するバーコード表示装置の動作方法。
【請求項１２】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
を有するバーコード表示装置の動作方法。
【請求項１３】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の映像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
を計算機であるバーコード表示装置に実行させるためのプログラム。
【請求項１４】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
を計算機であるバーコード表示装置に実行させるためのプログラム。
【請求項１５】
バーコードに代えて二次元コードとした請求項１から１０のいずれか一に記載のバーコード表示装置。
【請求項１６】
バーコードに代えて二次元コードとした請求項１１又は１２に記載のバーコード表示装置の動作方法。
【請求項１７】
バーコードに代えて二次元コードとした請求項１３又は１４に記載のプログラム。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、前者に対して後者の割合が少となるように出力させる第一制御部と、
前記所定の領域を表示画面内に人に視認可能に示す所定領域表示部を有するバーコード表示端末装置。
【請求項２】
不完全バーコード画像フレームに挟まれた完全バーコード画像フレームの連続出力時間であるＴｐは
１／２７０秒＜Ｔｐ＜１／３０秒
を満たす請求項１に記載のバーコード表示端末装置。
【請求項３】
第一制御部は、前記割合を完全バーコード画像フレームによる画像が人に視認不能とされる程度の割合とする人視認不可制御手段を有する請求項１又は２に記載のバーコード表示端末装置。
【請求項４】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、出力させる制御部と、
前記所定の領域を表示画面内に人に視認可能に示す所定領域表示部と、
を有するバーコード表示端末装置。
【請求項５】
制御部はディスプレイに出力される画像が人の目には不完全バーコード画像のみが出力されて見えるように不完全バーコード画像と完全バーコード画像とを出力する請求項４に記載のバーコード表示装置。
【請求項６】
完全バーコード画像フレーム出力部からの完全バーコード画像の出力は、スチルカメラに完全バーコード画像が単独で撮像できない程度の連続出力時間である請求項４又は５に記載のバーコード表示装置。
【請求項７】
不完全バーコード画像フレームに挟まれた完全バーコード画像フレームの連続出力時間であるＴｐは
１／２７０秒＜Ｔｐ＜１／３０秒
を満たす請求項４から６のいずれか一に記載のバーコード表示装置。
【請求項８】
不完全バーコード画像フレームに挟まれた完全バーコード画像フレームの連続出力時間であるＴｐは
１／２７０秒＜Ｔｐ＜１／２０秒
を満たす請求項４から６のいずれか一に記載のバーコード表示装置。
【請求項９】
動画を構成する動画フレームを構成するための動画フレーム構成情報を保持する動画フレーム構成情報保持部をさらに有し、
不完全バーコード画像フレーム出力部は、動画フレーム構成情報保持部に保持されている動画フレーム構成情報に基づいて動画フレームを出力する動画フレーム出力手段を有する請求項１から８のいずれか一に記載のバーコード表示装置。
【請求項１０】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
前記所定の領域を表示画面内に人に視認可能に示す所定領域表示ステップと、
を有するバーコード表示装置の動作方法。
【請求項１１】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
前記所定の領域を表示画面内に人に視認可能に示す所定領域表示ステップと、
を有するバーコード表示装置の動作方法。
【請求項１２】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の映像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
前記所定の領域を表示画面内に人に視認可能に示す所定領域表示ステップと、
を計算機であるバーコード表示装置に実行させるためのプログラム。
【請求項１３】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
前記所定の領域を表示画面内に人に視認可能に示す所定領域表示ステップと、
を計算機であるバーコード表示装置に実行させるためのプログラム。
【請求項１４】
バーコードに代えて二次元コードとした請求項１から９のいずれか一に記載のバーコード表示装置。
【請求項１５】
バーコードに代えて二次元コードとした請求項１０又は１１に記載のバーコード表示装置の動作方法。
【請求項１６】
バーコードに代えて二次元コードとした請求項１２又は１３に記載のプログラム。
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、前者に対して後者の割合が少となるように出力させる第一制御部と、
前記所定の領域を表示画面内に人に視認可能に示す所定領域表示部を有するバーコード表示端末装置。
【請求項２】
不完全バーコード画像フレームに挟まれた完全バーコード画像フレームの連続出力時間であるＴｐは
１／２７０秒＜Ｔｐ＜１／３０秒
を満たす請求項１に記載のバーコード表示端末装置。
【請求項３】
第一制御部は、前記割合を完全バーコード画像フレームによる画像が人に視認不能とされる程度の割合とする人視認不可制御手段を有する請求項１又は２に記載のバーコード表示端末装置。
【請求項４】
バーコードのバーの配列情報を取得する配列情報取得部と、
取得した配列情報に基づき所定の領域にバーコードの全体画像のフレームである完全バーコード画像フレームを出力する完全バーコード画像フレーム出力部と、
バーコード以外の画像又は／及びバーコードの一部の画像からなる不完全バーコード画像のフレームである不完全バーコード画像フレームを前記所定の領域に出力する不完全バーコード画像フレーム出力部と、
バーコード画像表示命令を受付けるバーコード画像表示命令受付部と、
受付けたバーコード画像表示命令に基づいて不完全バーコード画像フレーム出力部からの不完全バーコード画像フレームと、完全バーコード画像フレーム出力部からの完全バーコード画像フレームとを、出力させる制御部と、
前記所定の領域を表示画面内に人に視認可能に示す所定領域表示部と、
を有するバーコード表示端末装置。
【請求項５】
制御部はディスプレイに出力される画像が人の目には不完全バーコード画像のみが出力されて見えるように不完全バーコード画像と完全バーコード画像とを出力する請求項４に記載のバーコード表示端末装置。
【請求項６】
完全バーコード画像フレーム出力部からの完全バーコード画像の出力は、スチルカメラに完全バーコード画像が単独で撮像できない程度の連続出力時間である請求項４又は５に記載のバーコード表示端末装置。
【請求項７】
不完全バーコード画像フレームに挟まれた完全バーコード画像フレームの連続出力時間であるＴｐは
１／２７０秒＜Ｔｐ＜１／３０秒
を満たす請求項４から６のいずれか一に記載のバーコード表示端末装置。
【請求項８】
不完全バーコード画像フレームに挟まれた完全バーコード画像フレームの連続出力時間であるＴｐは
１／２７０秒＜Ｔｐ＜１／２０秒
を満たす請求項４から６のいずれか一に記載のバーコード表示端末装置。
【請求項９】
動画を構成する動画フレームを構成するための動画フレーム構成情報を保持する動画フレーム構成情報保持部をさらに有し、
不完全バーコード画像フレーム出力部は、動画フレーム構成情報保持部に保持されている動画フレーム構成情報に基づいて動画フレームを出力する動画フレーム出力手段を有する請求項１から８のいずれか一に記載のバーコード表示端末装置。
【請求項１０】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
前記所定の領域を表示画面内に人に視認可能に示す所定領域表示ステップと、
を有するバーコード表示装置の動作方法。
【請求項１１】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
前記所定の領域を表示画面内に人に視認可能に示す所定領域表示ステップと、
を有するバーコード表示装置の動作方法。
【請求項１２】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の映像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップにて出力された不完全バーコード画像フレームと、完全バーコード画像フレーム出力ステップにて出力された完全バーコード画像フレームとを、前者に対して後者の割合が少となるように出力させる第一制御ステップと、
前記所定の領域を表示画面内に人に視認可能に示す所定領域表示ステップと、
を計算機であるバーコード表示装置に実行させるためのプログラム。
【請求項１３】
バーコードのバーの配列情報を取得する配列情報取得ステップと、
取得した配列情報に基づき所定の領域にバーコードの全体画像のフレームである完全バーコード画像フレームを出力する完全バーコード画像フレーム出力ステップと、
バーコード以外の画像又は／及びバーコードの一部の画像からなる不完全バーコード画像のフレームである不完全バーコード画像フレームを前記所定の領域に出力する不完全バーコード画像フレーム出力ステップと、
バーコード画像表示命令を受付けるバーコード画像表示命令受付ステップと、
受付けたバーコード画像表示命令に基づいて不完全バーコード画像フレーム出力ステップの実行による不完全バーコード画像フレームと、完全バーコード画像フレーム出力ステップの実行による完全バーコード画像フレームとを、出力させる制御ステップと、
前記所定の領域を表示画面内に人に視認可能に示す所定領域表示ステップと、
を計算機であるバーコード表示装置に実行させるためのプログラム。
【請求項１４】
バーコードに代えて二次元コードとした請求項１から９のいずれか一に記載のバーコード表示端末装置。
【請求項１５】
バーコードに代えて二次元コードとした請求項１０又は１１に記載のバーコード表示装置の動作方法。
【請求項１６】
バーコードに代えて二次元コードとした請求項１２又は１３に記載のプログラム。